(57)【要約】  【課題】取手部を扉体に取り付ける作業に関連付けて、ネーム表示用収納部及び投函口を扉体に付帯させることができる収納家具を提供する。  【解決手段】扉体２に、ネーム表示部材Ｎを収納するネーム表示用収納部３と、扉体２の厚み方向に貫通するサブ投函口６と、取手部７とをユニット化してなるユニット部Ｕを取り付けるようにした。【選択図】図３
2006271718.tif 000002
【特許請求の範囲】
【請求項１】
内部に収納空間を有する収納家具本体と、当該収納家具本体の収納空間を開閉する位置に配される扉体とを備えた収納家具であって、
前記扉体に、主としてネームプレートや名刺等のネーム表示部材を視認可能に収納するネーム表示用収納部と、扉体の厚み方向に貫通する第１投函口と、取手部とをユニット化してなるユニット部を取り付けていることを特徴とする収納家具。
【請求項２】
前記ユニット部が、さらに主として写真や絵葉書等のオプション表示部材を視認可能に収納するオプション表示用収納部をもユニット化したものである請求項１記載の収納家具。
【請求項３】
前記扉体に、扉体の厚み方向に貫通し且つ前記第１投函口とは異なる投函口である第２投函口を設けている請求項１記載の収納家具。
【請求項４】
前記ユニット部が、さらに主として写真や絵葉書等のオプション表示部材を視認可能に収納するオプション表示用収納部をもユニット化したものであり、前記扉体に、扉体の厚み方向に貫通し且つ前記第１投函口とは異なる投函口である第２投函口を設けている請求項１記載の収納家具。
【請求項５】
前記第１投函口の開口寸法を、前記第２投函口の開口寸法よりも小さく設定している請求項３又は４記載の収納家具。
【請求項６】
前記収納家具本体に、前記第２投函口に投函した投函物を収納し得る第２収納空間を形成している請求項３、４又は５記載の収納家具。
【請求項７】
前記ユニット部を、扉体に設けたユニット部用取付部を利用して取り付けている請求項１、２、３、４、５又は６記載の収納家具。
【請求項８】
前記ユニット部用取付部が、扉体の厚み方向に貫通し前記収納空間に連通し得る開口部である請求項７記載の収納家具。
【請求項９】
前記収納家具本に棚板を取り付けるための棚板用取付部を設け、当該棚板用取付部を利用して前記収納空間と前記第２収納空間とを仕切る仕切り材を収納家具本体に取付可能にしている請求項６記載の収納家具。
【請求項１０】
前記収納家具本体の底板部に、前記仕切り材の下端部が嵌り込む嵌合凹部を形成している請求項９記載の収納家具。
【発明の詳細な説明】
【技術分野】
【０００１】
本発明は、学校やオフィス等に設置される収納家具に関するものである。
【背景技術】
【０００２】
従来より、ロッカー等の収納家具は学校やオフィス等に設置され、各自の持ち物や衣服、携帯品等を収納しておく場所として利用されている。そして、この種の収納家具として、収納家具本体の収納空間を開閉する位置に配した扉体に、ネームプレート等のネーム表示部材を収納し得るネーム表示用収納部と、取手部とを設けたタイプ（例えば非特許文献１参照）や、或いは扉体に投函口を設けたタイプ（例えば特許文献１参照）が既に考えられている。
【非特許文献１】「コクヨオフィスファニチャー編２００５度版」、コクヨファニチャー株式会社等、２００４年１２月発行、Ｐ．５５８に示されている各種ロッカー
【特許文献１】特開２００２−５１８５７号公報（図２等）
【発明の開示】
【発明が解決しようとする課題】
【０００３】
しかしながら、非特許文献１記載の収納家具は、ネーム表示用収納部と、取手部とがそれぞれ別体のものであるため、これらネーム表示用収納部及び取手部を扉体に個別に取り付ける作業が面倒であるとともに、部品点数も増えることによりこれらネーム表示部及び取手部を扉体に付帯させる時点までの取扱性に優れないという不具合が生じるものである。また、特許文献１記載の収納家具は、投函口を、取手部とは別に扉体に形成したものであり、この投函口を扉体に形成する作業が、取手部を扉体に取り付ける作業とは別に必要となり、作業工数が増えるという不具合が生じるものである。
【０００４】
本発明は、このような課題に着目してなされたものであって、主たる目的は、取手部を扉体に取り付ける作業に関連付けて、ネーム表示用収納部及び投函口を扉体に付帯させることができる収納家具を提供することにある。
【課題を解決するための手段】
【０００５】
すなわち、本発明の収納家具は、内部に収納空間を有する収納家具本体と、当該収納家具本体の収納空間を開閉する位置に配される扉体とを備えた収納家具であって、前記扉体に、主としてネームプレートや名刺等のネーム表示部材を視認可能に収納するネーム表示用収納部と、扉体の厚み方向に貫通する第１投函口と、取手部とをユニット化してなるユニット部を取り付けていることを特徴とする。
【０００６】
このようなものであれば、ネーム表示用収納部、第１投函口及び取手部をユニット化しているため、このユニット化してなるユニット部を扉体に取り付けることにより、これらネーム表示用収納部、第１投函口及び取手部を扉体に付帯させることができ、取付作業の簡素化及び部品点数の削減を図ることが可能である。さらに、これらネーム表示用収納部、第１投函口及び取手部は、扉体への取付前においては、ユニット部として単一の部材として製品管理されるため、ネーム表示用収納部等を扉体に付帯させる時点までの保管性及び取扱性の便に優れたものとなる。
【０００７】
また、前記ユニット部が、さらに主として写真や絵葉書等のオプション表示部材を視認可能に収納するオプション表示用収納部をもユニット化したものであれば、各自のロッカーと他人のロッカーとをより識別し易くするために、或いは各自の好みに合わせて写真等のオプション表示部材をオプション表示用収納部に好適に収納することができるとともに、ユニット部を扉体に取り付ける作業に関連付けてオプション表示用収納部を扉体に簡単に付帯させることができる。
【０００８】
前記扉体に、扉体の厚み方向に貫通し且つ前記第１投函口とは異なる投函口である第２投函口を設けていれば、投函物をサイズや内容毎に区別して第１投函口又は第２投函口に適宜選択して投函することができる。
【０００９】
また、前記ユニット部が、さらに主として写真や絵葉書等のオプション表示部材を視認可能に収納するオプション表示用収納部をもユニット化したものであり、前記扉体に、扉体の厚み方向に貫通し且つ前記第１投函口とは異なる投函口である第２投函口を設けたものとしてもよい。このような態様を採用すれば上述した全ての効果を奏する実用性に優れた収納家具となる。
【００１０】
特に、前記第１投函口の開口寸法を、前記第２投函口の開口寸法よりも小さく設定すれば、比較的サイズの大きい投函物を第２投函口に投函し、比較的サイズの小さい投函物を第１投函口に投函する使用態様に柔軟に対応することができる。この場合、前記収納家具本体に、前記第２投函口に投函した投函物を収納し得る第２収納空間を形成していれば、例えばメモ用紙等の比較的サイズの小さい投函物を第１投函口に投函し、比較的サイズの大きな投函物を第２投函口に投函した場合に、収納家具本体内において、第２投函口に投函した投函物が第２収納空間に収納されることとなり、その結果、各投函口に投函した投函物をそれぞれ適切に分別した状態で収納することができ、サイズの小さい投函物がサイズの大きい投函物に紛れてしまうことがなく、サイズの異なる投函物をそれぞれ確実に把握することができる。
【００１１】
また、ネーム表示用収納部等の扉体への取付作業をスムーズに行えるようにするには、前記ネーム表示用収納部、前記オプション用収納部、前記サブ投函口及び前記取手部をユニット化してなるユニット部を、扉体に設けたユニット部用取付部を利用して取り付けるようにすればよい。
【００１２】
前記ユニット部用取付部の具体的な実施態様としては、扉体の厚み方向に貫通し前記収納空間に連通し得る開口部であるものが挙げられる。
【００１３】
また、前記収納家具本に棚板を取り付けるための棚板用取付部を設け、この棚板用取付部を利用して前記収納空間と前記第２収納空間とを仕切る仕切り材を収納家具本体に取付可能にすれば、仕切り材を取り付けるための専用の取付部を別途収納家具本体に設ける必要がなく、部品点数の削減及び構造の簡略化を有効に図ることができる。この場合、前記収納家具本体の底板部に、前記仕切り材の下端部が嵌り込む嵌合凹部を形成すれば、収納家具本体に対する仕切り材の取付状態をより良好なものとすることができる。
【発明の効果】
【００１４】
以上説明したように本発明によれば、ネーム表示用収納部及び第１投函口を、取手部と共にユニット化することにより、取手部を扉体に取り付ける作業に関連付けてネーム表示用収納部及び第１投函口を扉体に付帯させることができ、取付作業の簡素化及び部品点数の削減を有効に図ることができる。
【発明を実施するための最良の形態】
【００１５】
以下、本発明の一実施形態を、図面を参照して説明する。
【００１６】
本実施形態に係る収納家具Ｌは、図１等に示すように、例えばオフィスや学校等に設置されるものであり、単一の枠体Ｗ内に高さ方向及び幅方向に沿って複数列に配列され、これら複数の収納家具Ｌによって収納家具装置を構成している。
【００１７】
各収納家具Ｌは、図２及び図３等に示すように、前方に開口する収納空間Ｓを有する収納家具本体１と、収納家具本体１の収納空間Ｓを開閉する位置に配される扉体２とを備えたものである。
【００１８】
各収納家具本体１は、一対の側板部１１と、側板部１１の上端部間及び下端部間をそれぞれ連結する天板部及び底板部１２と、側板部１１の背面部間を連結する背板部とを備えてなり、各側板部１１には、収納空間Ｓを高さ方向に仕切る棚板Ｔを支持し得る棚板支持部１Ｔが着脱可能に取り付けられている。この棚板支持部１Ｔに、棚板Ｔを取り付けるための棚板用取付部１Ｔａを高さ方向に沿って所定ピッチで設けている。各棚板用取付部１Ｔａは、内方に突出し高さ方向に挿通する挿入空間を有するものであり、この挿入空間に、棚板Ｔの両側縁部に設けた図示しない挿入片を挿入可能に設定している。本実施形態では、高さ方向に沿った棚板用取付部１Ｔａの列を奥行き方向に所定距離離間させて２列設けている。これら複数の棚板用取付部１Ｔａから棚板Ｔを取り付ける棚板用取付部１Ｔａを適宜選択・変更することにより、収納家具本体１に対する棚板Ｔの取付高さ位置を調整可能にしている。なお、棚板Ｔに前記挿入片を設けず、棚板Ｔを棚板用取付部１Ｔａに単に載置することにより、棚板Ｔを収納家具本体１に取り付けるようにしてもよい。また、収納家具本体１の底板部１２の一方の側縁部近傍領域（本実施形態では、ヒンジＨを設けた側の側縁部近傍領域）に、他の領域より下方に窪ませ、後述する仕切り材９の底片９３が嵌り込み得る嵌合凹部１２ａを形成している。
【００１９】
一方、扉体２は、図２〜図４等に示すように、例えばスチール素材からなり、収納家具本体１の開口縁部にヒンジＨを介して回動自在に取り付けられたものである。以下の説明において、扉体２の側縁部のうち、ヒンジ側の側縁部を「ヒンジ側側縁部」とする。
【００２０】
この扉体２に、主としてネームプレートや名刺等のネーム表示部材Ｎを収納するネーム表示用収納部３と、主として写真や絵葉書等のオプション表示部材Ｐを収納するオプション表示用収納部４と、扉体２の厚み方向に貫通し収納家具本体１の収納空間Ｓに連通し得るメイン投函口５（本願の「第２投函口」に相当）と、メイン投函口５よりも開口寸法を小さく設定したサブ投函口６（本願の「第１投函口」に相当）とを設けている。
【００２１】
本実施形態では、ネーム表示用収納部３、オプション表示用収納部４及びサブ投函口６を、取手部７と共にユニット化し、このユニット化してなるユニット部Ｕを扉体２に取り付けることにより、ネーム表示用収納部３、オプション表示用収納部４及びサブ投函口６を扉体２に付帯させている。
【００２２】
ネーム表示用収納部３は、一対の側枠３１と、各側枠３１の上端部間及び下端部間を連結する上枠３２及び下枠３３とを一体に備えてなり、各枠３１、３２、３３によって包囲される空間にネーム表示部材Ｎを抜落不能に収納し得るものである。本実施形態では、上枠２の厚み寸法を側枠１及び下枠３の厚み寸法よりも小さく設定し、側枠１及び下枠３を扉体２の前面部に当接させた状態において上枠２と扉体２の前面部との間に所定寸法の間隙が形成され、この間隙を利用してネーム表示部材Ｎをネーム表示用収納部３に対して出入れ可能にしている。
【００２３】
オプション表示用収納部４は、ネーム表示用収納部３と略同様に、一対の側枠４１と、各側枠４１の上端部間及び下端部間を連結する上枠４２及び下枠４３とを一体に備えてなり、各枠４１、４２、４３によって包囲される空間にオプション表示部材Ｐを抜落不能に収納し得るものである。本実施形態では、オプション表示用収納部４の上枠４２とネーム表示用収納部３の上枠３２との高さ位置を一致させるとともに、オプション表示用収納部４の側枠４１の高さ寸法、及び上枠４２、下枠４３の幅寸法をそれぞれネーム表示用収納部３の対応する各枠３１、３２、３３の寸法よりも大きく設定している。本実施形態では、各枠４１、４２、４３によって包囲される空間を被覆するように透光性のカバー部４ｃをその縁部を各枠４１、４２、４３のウラ面に接着等することにより一体的に取り付けている。
【００２４】
サブ投函口６は、ネーム表示用収納部３の下方において、一対の側枠６１、６２と、各側枠６１、６２の上端部間及び下端部間を連結する上枠６３及び下枠６４とによって囲まれ前後方向（奥行き方向）に開口する長孔である。
【００２５】
取手部７は、一対の側枠７１、６１と、各側枠７１、６１の上端部間及び下端部間を連結する上枠６３及び下枠６４とに囲まれてなる領域に設けられ、取手部本体７ａと、取手部本体７ａを把持する際に指が挿入可能な取手用凹陥部７ｂとを有するものである。本実施形態では、取手部７の形成領域を区成する一方の側枠６１、上枠６３及び下枠６４を、それぞれサブ投函口６の形成領域を区成する一方の側枠６１、上枠６３及び下枠６４と共用している。そして、扉体２が収納家具本体１の収納空間Ｓを閉止する位置に位置付けられた状態において、取手用凹陥部７ｂ内に挿入した指を取手部本体７ａの背面側に掛けて手前に引く操作力を付与することにより図示しないラッチ機構のロック状態が解除され、扉体２を回動させることが可能となる。本実施形態においては、取手部７の背面部７ｃを、他の部位より奥方に突出させている（図２及び図３参照）。なお、取手部７に関連付けて図示しない周知の施錠装置（シリンダ錠、ダイヤル錠等）を取り付けてもよい。
【００２６】
ユニット部Ｕは、オプション表示要収納部４のカバー部４ｃ以外の部位を、例えば合成樹脂素材を用いて一体成形したものであり、各部（ネーム表示用収納部３、オプション表示用収納部４、サブ投函口６及び取手部７）の隣接する各枠同士を連結させている。本実施形態では、ユニット部Ｕを正面視略矩形状のものとし、正面視向かって右半部領域にオプション表示用収納部４を形成し、同左半部の上半部領域にネーム表示用収納部３を形成し、同左半部の下半部領域にサブ投函口６及び取手部７を形成している。このようなユニット部Ｕを、扉体２に設けたユニット部用取付部たる開口部８１、８２を利用して扉体２に取り付けている（図３参照）。
【００２７】
前記ユニット部用取付部たる開口部８１、８２は、図３に示すように、扉体２の厚み方向に貫通し収納家具本体１の収納空間Ｓに連通し得るものあり、本実施形態では、ユニット部用取付部を、オプション表示用収納部４の外寸より若干小さい開口寸法を有する第１開口部８１と、サブ投函口６及び取手部７の外寸より若干小さい開口寸法を有する第２開口部８２とから構成している。
【００２８】
これら第１開口部８１及び第２開口部８２を利用したユニット部Ｕの扉体２への取り付けは、扉体２の前面側から第１開口部８１の開口縁部にオプション表示用収納部４の各枠を当接させるとともに、第２開口部８２に取手部７及びサブ投函口６の各枠の一部を嵌め込むことにより行う。この取付状態において、ネーム表示用収納部３の側枠１及び下枠３は扉体２の前面部に当接している。また、扉体２の背面側からオプション表示用収納部４の背面側を被覆し得る裏当て材４５を適宜の手段で扉体２に取り付けている。この裏当て材４５は、厚み方向に貫通し規則的に複数形成された取出用孔４５ａと、上端部に形成した切欠４５ｂとを有した薄板状のものである。なお、この裏当て材４５を、ユニット部Ｕ又は扉体２に一体成形しても構わない。そして、オプション表示用収納部４に収納されたオプション表示部材Ｐを取り出す際に、取出用孔４５ａ及び切欠４５ｂに適宜指を挿入してオプション表示部材Ｐを上方に押し上げることにより、オプション表示部材Ｐをオプション表示用収納部４から簡単に取り出すことができるようにしている。
【００２９】
また、扉体２のヒンジ側側縁部近傍領域に、扉体２の厚み方向に貫通し高さ方向に延伸するメイン投函口５を形成している。このメイン投函口５の開口寸法を、前記サブ投函口６の開口寸法より大きく設定してある。本実施形態においては、特にメイン投函口５の開口高さ寸法を、前記サブ投函口６の開口高さ寸法より大きく設定してある。
【００３０】
しかして、収納家具本体１に、メイン投函口５に投函した投函物を収納し得る第２収納空間Ｓａを形成している。この第２収納空間Ｓａは、前記棚板支持部１Ｔに設けた棚板用取付部１Ｔａを利用して取付可能な仕切り材９によって収納空間Ｓと仕切られている。
【００３１】
仕切り材９は、例えば薄板状のスチール素材を折曲加工したものであり、頂片９１と、頂片９１の一方の側縁部から垂下させてなる垂下片９２と、垂下片９２の下端部から頂片９１と略平行に延びる底片９３と、頂片９１の他方の側縁部から垂下し棚板用取付部１Ｔａの挿入空間に挿入可能な挿入爪９４とを有する。垂下片９２の下端部における前端部側の所定領域に略部分円弧状の切欠９２ａを形成し、この切欠９２ａに指を入れることにより第２収納空間Ｓａに収納された書類等の投函物を第２収納空間Ｓａから取り出す作業を容易に行えるようにしている。この仕切り材９の収納家具本体１への取り付けは、挿入爪９４を棚板用取付部１Ｔａの挿入空間に挿入するとともに、底片９３を収納家具本体１の底板部１２に形成した嵌合凹部１２ａに嵌め込むことにより行う。この取付状態において、扉体２のメイン投函口５に投函された書類等に投函物が第２収納空間Ｓａに収納されるように、仕切り材９の頂片９１及び底片９３の幅寸法、垂下片９２の高さ寸法を、メイン投函口５の幅寸法及び高さ寸法より大きく設定している。なお、収納家具本体１に対する仕切り材９の取付状態をより良好なものとするために、収納家具本体１の底板部１２に形成した嵌合凹部１２ａ又は仕切り材９の底片９３の何れか一方にスリットを形成し、他方にスリットに係合可能な係合爪を設け、これら係合爪とスリットとを相互に係合させる態様や、或いは、仕切り材９の底片９３を嵌合凹部１２ａにネジ止めする態様を採用してもよい。
【００３２】
このような構成を有する収納家具Ｌは、ネーム表示用収納部３にネーム表示部材Ｎを視認可能な状態で収納するとともに、オプション表示用収納部４にオプション表示部材Ｐを視認可能な状態で収納することが可能である。本実施形態では、ネーム表示部材Ｎを扉体２の前面側からネーム表示用収納部３に出入れ可能に設定するとともに、オプション表示部材Ｐを扉体２の背面側からオプション表示用収納部４に出入れ可能に設定し、それぞれの表示部材（ネーム表示部材Ｎ、オプション表示部材Ｐ）を他の表示部材（ネーム表示部材Ｎ、オプション表示部材Ｐ）に適宜変更することも容易に行えるようにしている。なお、各収納部（ネーム表示用収納部３、オプション表示用収納部４）を適宜設計変更し、各表示部材（ネーム表示部材Ｎ、オプション表示部材Ｐ）を扉体２の両面側或いは片面側から出入れ可能に設定することを妨げない。ネーム表示部材Ｎを扉体２の背面側から出入れ可能に設定した場合、ネーム表示用収納部３の背面側を被覆し得る図示しない裏当て材を適宜の手段で扉体２に取り付ける必要がある。この裏当て材はユニット部Ｕ又は扉体２に一体成形したものであっても構わない。
【００３３】
また、サブ投函口６にメモ用紙等の比較的サイズの小さな投函物を投函し、メイン投函口５にサブ投函口６に投函不能な例えばＡ３、Ａ４サイズの比較的サイズの大きな投函物を投函することにより、メイン投函口５に投函した投函物は収納家具本体１に設けた仕切り材９によって仕切られた第２収納空間Ｓａに縦置きに収納され、サブ投函口６に投函した投函物は収納空間Ｓに収納されるように構成している。
【００３４】
このように本実施形態に係る収納家具Ｌは、扉体２に、ネーム表示部材Ｎを収納するネーム表示用収納部３と、扉体２の厚み方向に貫通するサブ投函口６と、取手部７とをユニット化してなるユニット部Ｕを取り付けたものであるため、このユニット部Ｕを扉体２に取り付けることにより、これらネーム表示用収納部３、サブ投函口６及び取手部７を扉体２に付帯させることができ、取付作業の簡素化及び部品点数の削減を図ることが可能である。さらに、これらネーム表示用収納部３、サブ投函口６及び取手部７は、扉体２への取付前においては、ユニット部Ｕとして単一の部材として製品管理されるため、ネーム表示用収納部３等を扉体２に付帯させる時点までの保管性及び取扱性の便に優れたものとなる。
【００３５】
特に、ユニット部Ｕが、オプション表示用収納部４をもユニット化したものであるため、各自のロッカーと他人のロッカーとをより識別し易くするために、或いは各自の好みに合わせて写真等のオプション表示部材Ｐをオプション表示用収納部４に好適に収納することができるとともに、ユニット部Ｕを扉体２に取り付ける作業に関連付けてオプション表示用収納部４を扉体２に簡単に付帯させることができ好適である。しかも、ネーム表示部材Ｎ及びオプション表示部材Ｐをそれぞれ専用の収納部であるネーム表示用収納部３、オプション表示用収納部４に的確に収納することができ、例えば単一の収納部にネーム表示部材Ｎとオプション表示部材Ｐとを収納する態様と比較して、ネーム表示部材Ｎがオプション表示部材Ｐによって視認し難くなる等の不具合が生じることなく、各収納部（ネーム表示用収納部３、オプション表示用収納部４）を利用して各表示部材（ネーム表示部材Ｎ、オプション表示部材Ｐ）を扉体２に簡単に付帯させ、視認可能な状態で適切に表示させることができ、実用性に優れたものとなる。さらに、オプション表示部材Ｐをオプション表示用収納部４に出入れ可能に収納しているため、オプション表示部材Ｐを使用者の好みに合わせて手軽に交換することもでき、好適である。勿論ネーム表示部材Ｎもネーム表示用収納部３に出入れ可能に収納しているため、使用者の変更時等にネーム表示部材Ｎを簡単に交換することができる。
【００３６】
また、扉体２に、扉体２の厚み方向に貫通し且つサブ投函口６とは異なる投函口であるメイン投函口５を設けているので、投函物をサイズや内容毎に区別してサブ投函口６又はメイン投函口５に適宜選択して投函することができる。特に本実施形態では、サブ投函口６の開口寸法を、メイン投函口の開口寸法よりも小さく設定しているため、例えばＡ３サイズ等の比較的サイズの大きな投函物をメイン投函口５に投函するとともに、メモ用紙等の比較的サイズの小さい投函物をサブ投函口６に投函することができ、投函物の投函先を適宜選択することができる。殊に、収納家具本体１に、メイン投函口５に投函した投函物を収納し得る第２収納空間Ｓａを形成しているため、収納家具本体１内において、サイズの異なる投函物を適切に分類した状態で収納することができ、サイズの小さい投函物がサイズの大きい投函物に紛れてしまうことがなく、サイズの異なる投函物をそれぞれ確実に把握することができる。
【００３７】
加えて、ネーム表示用収納部３、オプション表示用収納部４、サブ投函口６及び取手部７をユニット化してなるユニット部Ｕを、扉体２に設けたユニット部用取付部たる第１開口部８１及び第２開口部８２を利用して取り付けているため、単一のユニット部Ｕをこれら第１開口部８１及び第２開口部８２を利用して扉体２に取り付けることにより、扉体２にネーム表示用収納部３、オプション表示用収納部４及びサブ投函口６を付帯させることができ、取付作業の簡素化に資する。特に、扉体２の厚み方向に貫通し前記収納空間Ｓに連通し得る第１開口部８１及び第２開口部８２をユニット部用取付部として機能させているため、ユニット部用取付部を容易に形成することができ、製造コストの削減を図ることが可能である。
【００３８】
収納家具Ｌ本に棚板Ｔを取り付けるための棚板用取付部１Ｔａを設け、この棚板用取付部１Ｔａを利用して収納空間Ｓと第２収納空間Ｓａとを仕切る仕切り材９を収納家具本体１に取付可能にしているため、仕切り材９を取り付けるための専用の取付部を別途収納家具本体１に設ける必要がなく、部品点数の削減及び構造の簡略化を有効に図ることができる。また、棚板Ｔを収納家具本体１に取り付ける従来の取付構造をそのまま利用することが可能であるため、仕切り材９の取付作業も極めて簡単に行なうことができる。
【００３９】
特に、収納家具本体１の底板部１２に、仕切り材９の底片９３が嵌り込む嵌合凹部１２ａを形成しているため、仕切り材９の収納家具本体１に対する取付作業をスムーズに行うことができ、収納家具本体１に対する仕切り材９の良好な取付状態を維持することが可能である。
【００４０】
なお、本発明は、以上に詳述した実施形態に限られるものではない。
【００４１】
例えば、前記実施形態では、ユニット部が、ネーム表示用収納部、オプション用収納部及びサブ投函口を、取手部と共にユニット化したものを示したが、少なくとも、ユニット部が、ネーム表示用収納部及び一の投函口（サブ投函口に相当する投函口又はメイン投函口に相当する投函口の何れであってもよい）を、取手部と共にユニット化したものであればよく、ユニット部がオプション表示用収納部を有さない態様を採用しても構わない。
【００４２】
また、扉体における各収納部及び各投函口の形成箇所や形状は使用態様に対応させて適宜変更してもよい。なお、ユニット部に設けた一の投函口のみを扉体に付帯させ、当該一の投函口とは異なる他の投函口を扉体に設けない態様を採用しても構わない。
【００４３】
また、ユニット部用取付部として、ユニット部の外寸に略対応する開口寸法を有する単一の開口部を採用し、この開口部にユニット部の外枠を嵌め込むことによりユニット部を扉体に取り付けるようにしてもよい。また、ユニット部用取付部として、ユニット部の所定箇所に設けた係合爪が係合可能な係合爪受け部を採用してもよい。
【００４４】
棚板を取り付けるための棚板用取付部として、収納家具本体の側板部に高さ方向に沿って所定ピッチで設けたスリットを適用し、このスリットを利用して前記仕切り材を収納家具本体に取り付けるようにしても構わない。
【００４５】
また、前記実施形態では複数の収納家具からなる収納家具装置を示したが、単一の収納家具であっても使用可能であることは言うまでもない。
【００４６】
その他、各部の具体的構成についても上記実施形態に限られるものではなく、本発明の趣旨を逸脱しない範囲で種々変形が可能である。
【図面の簡単な説明】
【００４７】
【図１】本発明の一実施形態に係る収納家具を複数用いてなる収納家具装置の全体斜視図。
【図２】同実施形態に係る収納家具をその収納空間を開放させた状態で示す斜視図。
【図３】図２の一部を分解して示す斜視図。
【図４】図１の要部拡大正面図。
【符号の説明】
【００４８】
１…収納家具本体
１２…底板部
１２ａ…嵌合凹部
１Ｔａ…棚板用取付部
２…扉体
３…ネーム表示用収納部
４…オプション表示用収納部
５…第２投函口（メイン投函口）
６…第１投函口（サブ投函口）
７…取手部
８１、８２…ユニット部用取付部（第１開口部、第２開口部）
９…仕切り材
９３…底片
Ｌ…収納家具
Ｓ…収納空間
Ｓａ…第２収納空間
Ｔ…棚板
Ｎ…ネーム表示部材
Ｐ…オプション表示部材
Ｕ…ユニット部
【図１】
2006271718.tif 000003
【図２】
2006271718.tif 000004
【図３】
2006271718.tif 000005
【図４】
2006271718.tif 000006